(57)【要約】本発明は、モバイルノード（ＭＮ）と通信先ノード（ＣＮ）との間のＩＰに基づく、特にモバイルＩＰｖ６に基づく第１および第２の通信経路間におけるＱｏＳに適応したハンドオフの実行方法であって、第２の通信経路は、中継局を持たないかまたは１つ以上の中継局を持ちモバイルノードがアクセス可能な複数の通信経路の一つであり、かつ少なくとも、ａ）第２の通信経路としてモバイルノードがアクセス可能な複数の通信経路から１つの通信経路を選択するステップ、ｂ）選択された通信経路に基づいてモバイルノードに割り当てられた少なくとも１つのＩＰアドレスと選択された通信経路に関する最小のサービス品質要求（ＱｏＳ）とを含むメッセージ（ＢＵ）をモバイルノードによって発生するステップ、ｃ）選択された通信経路上においてそのメッセージが相前後して通過する個々の中継局によっておよび／または通信先ノードによって少なくとも最小のサービス品質要求を検査し、場合によっては確保するステップ、を有するＱｏＳに適応したハンドオフの実行方法に関する。メッセージは、モバイルノードから通信先ノードへの通信および／またはその逆方向の通信への最小のサービス品質要求を含み、少なくとも最小のサービス品質要求が満足されている場合に自動的にハンドオフが第１の通信経路と第２の通信経路として選択された通信経路との間で行なわれるか、または少なくとも最小のサービス品質要求の満足性が与えられていない場合にはメッセージが停止され、中継局および／または通信先ノードにおいて通報が発生されモバイルノードに送られる。
2004536535.tif 000002
【特許請求の範囲】
【請求項１】
モバイルノード（ＭＮ）と通信先ノード（ＣＮ）との間のＩＰに基づく、特にモバイルＩＰｖ６に基づく第１および第２の通信経路間におけるＱｏＳに適応したハンドオフの実行方法であって、第２の通信経路は、中継局を持たないかまたは１つ以上の中継局を持ちモバイルノードがアクセス可能な複数の通信経路の一つであり、かつ少なくとも、
ａ）第２の通信経路としてモバイルノードがアクセス可能な複数の通信経路から１つの通信経路を選択するステップ、
ｂ）選択された通信経路に基づいてモバイルノードに割り当てられた少なくとも１つのＩＰアドレスと選択された通信経路に関する最小のサービス品質要求（ＱｏＳ）とを含むメッセージ（ＢＵ）をモバイルノードによって発生するステップ、
ｃ）選択された通信経路上においてそのメッセージが相前後して通過する個々の中継局によっておよび／または通信先ノードによって少なくとも最小のサービス品質要求を検査し、場合によっては確保するステップ、
を有するＱｏＳに適応したハンドオフの実行方法において、
メッセージは、モバイルノードから通信先ノードへの通信および／またはその逆方向の通信への最小のサービス品質要求を含み、
少なくとも最小のサービス品質要求が満足されている場合に自動的にハンドオフが第１の通信経路と第２の通信経路として選択された通信経路との間で行なわれるか、または
少なくとも最小のサービス品質要求の満足性が与えられていない場合にはメッセージが停止され、中継局および／または通信先ノードにおいて通報が発生されモバイルノードに送られる
ことを特徴とするＱｏＳに適応したハンドオフの実行方法。
【請求項２】
ステップｂにおいて発生したメッセージは、最小のサービス品質要求から所望のサービス品質要求まで含むサービス品質要求範囲を有することを特徴とする請求項１記載の方法。
【請求項３】
ハンドオフが実行される場合、どのサービス品質要求が満足され得るかに関する情報を含む通報が、中継局および／または通信先ノードにおいて発生され、同時にまたはハンドオフ実行後にモバイルノードに送られることを特徴とする請求項１または２記載の方法。
【請求項４】
中継局はネット要素、特にルータ、ベースステーション、コントローラまたはモビリティアンカーポイント（ＭＡＰ）であることを特徴とする請求項１乃至３の１つに記載の方法。
【請求項５】
階層的なモバイルＩＰとの組み合わせによって、すぐ近くの適当な中継局は、少なくとも最小のサービス品質要求の満足性が得られない場合にはステップｂにおいて発生したメッセージをできるだけ速やかに停止して通報を発生しモバイルノードに送るか、または少なくとも最小のサービス品質要求が満足されている場合にはハンドオフを実行することを特徴とする請求項１乃至４の１つに記載の方法。
【請求項６】
モバイルノードと通信先ノードとの間のＩＰに基づく、特にＩＰｖ６に基づく通信経路における中継局、特にネット要素において、中継局が請求項１乃至５の１つに記載の方法の意味において使用可能であることを特徴とする中継局。
【発明の詳細な説明】
【技術分野】
【０００１】
本発明は、モバイルノード（Ｍｏｂｉｌｅ  Ｎｏｄｅ，ＭＮ）と通信先ノード（Ｃｏｒｒｅｓｐｏｎｄｅｎｔ  Ｎｏｄｅ，ＣＮ）との間のＩＰ（Ｉｎｔｅｒｎｅｔ  Ｐｒｏｔｏｃｏｌ；インターネットプロトコル）に基づく、特にモバイルＩＰｖ６に基づく第１および第２の通信経路間におけるＱｏＳに適応したハンドオフの実行方法に関する。ＩＰｖ６に基づくネットワークへの種々のアクセス技術の普及により、このネットワークは、モバイルのネットシステムにおいても定められたサービス品質（Ｑｕａｌｉｔｙ  ｏｆ  Ｓｅｒｖｉｃｅ，ＱｏＳ）を保証することをますます強く要求されている。モバイルＩＰｖ６は、モバイルノードがＩＰｖ６に基づくネットワークへのアクセス点（ｐｏｉｎｔ  ｏｆ  ａｔｔａｃｈｍｅｎｔ）を変更する場合に、モバイルノード（ＭＮ）へのデータパケットの正しい転送（ルート）を保証する。これは、例えば「Ｄ．Ｊｏｈｎｓｏｎ  ａｎｄ  Ｃ．Ｐｅｒｋｉｎｓ，Ｍｏｂｉｌｉｔｙ  Ｓｕｐｐｏｒｔ  ｉｎ  ＩＰｖ６  Ｉｎｔｅｒｎｅｔ  Ｄｒａｆｔ，ｄｒａｆｔ−ｉｅｔｆ−ｍｏｂｉｌｅｉｐ−ｉｐｖ６−１３．ｔｘｔ  ｗｏｒｋ−ｉｎ−ｐｒｏｇｒｅｓｓ，  Ｎｏｖ．  ２０００」に説明されている。さらに、しかしながら、モバイルノードによるアクセス点変更時に、搬送されるべきデータパケットに応じて、十分なサービス品質（ＱｏＳ）のために、ＱｏＳ感応ＩＰサービスもモバイルＩＰｖ６によりサポートできるように配慮することも必要である。
【０００２】
Ｈ．ＣｈａｓｋａｒおよびＲ．Ｋｏｏｄｌｉ両氏による刊行物「“Ｆｒａｍｅｗｏｒｋ  ｆｏｒ  ＱｏＳ  Ｓｕｐｐｏｒｔ  ｉｎ  Ｍｏｂｉｌｅ  ＩＰｖ６”，Ｉｎｔｅｒｎｅｔ  Ｄｒａｆｔ，Ｄｒａｆｔ，ｄｒａｆｔ−ｃｈａｓｋａｒ−ｍｏｂｉｌｅｅｉｐ−ｑｏｓ−０１，ｗｏｒｋ−ｉｎ−ｐｒｏｇｒｅｓｓ，Ｍａｒ．２００１」には、すでに、ＩＰｖ６に基づくオプション、いわゆる「ＱｏＳオブジェクトオプション（ＱｏＳ  ｏｂｊｅｃｔ  Ｏｐｔｉｏｎ）」が導入されている。このＱｏＳオブジェクトは、満足のいくサービスを保証するために、モバイルノードと対応の通信先ノードとの間の通信経路が満足されなければならないサービス品質要求に関する情報を含んでいる。この種のＱｏＳオブジェクトはＩＰｖ６データパケット内に所謂「“ｈｏｐ−ｂｙ−ｈｏｐ”  Ｏｐｔｉｏｎ（ホップバイホップオプション）」として包含されており、ＩＰｖ６データパケットは付加的にいわゆるバインディングアップデート（Ｂｉｎｄｉｎｇ  Ｕｐｄａｔｅ，ＢＵ）ヘッダオプションもしくはバインディングアクノーレッジメント（Ｂｉｎｄｉｎｇ  Ａｃｋｎｏｗｌｅｄｇｅｍｅｎｔ，ＢＡ）ヘッダオプションを含むことができる（単にバインディングアップデートメッセージもしくはバインディングアクノーレッジメントメッセージと呼ばれる）。バインディングアップデートメッセージは、例えばモバイルノードから、例えば通信先ノードである対応のネットノードへ、モバイルノードの現在地および場合によってはモバイルノードＩＰアドレスが変化した際にそのネットノードにモバイルノードの新しＩＰアドレスに関する情報を伝えるために送られる。バインディングアクノーレッジメントメッセージ（ＢＡメッセージ）は、いわばバインディングアップデートメッセージ（ＢＵメッセージ）への返報であり、たいてい、新しいＩＰアドレスが通信先ノードによって承認されたという情報を含んでいる。新しいＩＰアドレスの承認およびそれにともなうこの新しいＩＰアドレスの使用（これは一般に別のルートもしくは別の経路に沿ってパケットを転送する際に生じる。）は、本発明の枠内においてハンドオフと呼ぶ。従来のモバイルＩＰｖ６において、バインディングアップデートメッセージはモバイルノードから対応の通信先ノードへの全経路を通過する。しかし、これは一般に合理的ではない。なぜならば、ハンドオフの圧倒的複数は局所的であり、すなわち、モバイルノードは単に１つのベースステーションから隣のベースステーションへ変更されるだけであるからである。局所的であることは、古いルートと新しいルートとが、つまり古い経路と新しい経路とが、すなわちハンドオフの前と後とが僅かしか相違しないことであり、それもモバイルノードの近くにおいてやっと相違するということである。「階層的登録」の構想はこのような考察を基にしている。したがって、ＢＵメッセージが、その都度通信先ノード（ＣＮ）まで送り届けられるのではなくて、寧ろネット内に、同様にハンドオフを実行することができる中継局、いわゆるモビリティアンカーポイント（Ｍｏｂｉｌｉｔｙ  Ａｎｃｈｏｒ  Ｐｏｉｎｔｓ，ＭＡＰ）が開設されることである。その後、データはＣＮからＭＡＰを介してＭＮへ流れ、また��の逆方向に流れる。その場合、ＭＡＰが古いＩＰアドレスも新しいＩＰアドレスも受け渡しできるのであれば、ＢＵメッセージはＭＡＰに送り届けられさえすればよく、もはやＣＮ自体へは送り届けられる必要はない。ＭＡＰが古いＩＰアドレスも新しいＩＰアドレスも受け渡しできない場合、ＢＵメッセージはＣＮ方向に向かわされ、新しいＭＡＰが決定されなければならない。遠く離れたＭＡＰとのこのような通信の頻度を低減するために、それぞれ同じ基本原理に基づく他のＭＡＰ階層が導入される、すなわちデータがモバイルノードから順次、階層において相前後するＭＡＰを介してＣＮへ導かれかつそれと対応して逆方向に導かれる。この意味にて階層的登録が言及されている。というのは、ＭＡＰのこのような階層における信号伝達メッセージが、ＭＮの新旧のＩＰアドレスを守るＭＡＰが見つかるまで続けて渡しさえすればよいからである。極端な場合、ここでもＣＮが接触されなければならない。
【０００３】
ＱｏＳオブジェクトのＣｈａｓｋａｒ構想は、特に階層的登録時に洗練された経路、サービス品質要求を処理することを可能にする。このような場合にバインディングアップデートメッセージは、古い通信経路と新しい通信経路とが互いに相違するネットノードまでしか走らない。このネットノードまでだけ、古い通信経路に対するサービス品質の変化、すなわち利用できるＱｏＳの変化が生じ得る。大概のいわゆるハンドオフ、すなわち大概のモバイルノード現在地の変更は局所的にＩＰアドレスの変化につながることから、これは最も効率のよい進行である。その場合、このネットノードから、場合によっては対応のバインディングアクノーレッジメントメッセージがやって来る。ここで、Ｃｈａｓｋａｒ氏によって導入されたＱｏＳオブジェクトがいわゆるホップバイホップオプションとしてこのメッセージに包含されている場合、このことは、対応するバインディングアップデートメッセージが、モバイルノードからネットシステムを通して古い通信経路と新しい通信経路とが合流するネットノードへ到る行程上の複数のネットノードを通過する際、ＱｏＳを含んでいるもしくは相応のＱｏＳ資源の準備（又は提供）に対して責任を有する個々のネットノード内に、必要な資源を準備させることを意味する。しかしながら、特にＣｈａｓｋａｒ氏によっては、不十分な資源の場合に何をなすべきかが詳しく述べられていない。
【０００４】
本発明の課題は、通信先ノードへの選択された通信経路がサービス品質要求を満足するかどうかを、あるいは対応の通信先ノードへの代替の通信経路を探さなければならないかどうかをできるだけ速やかに識別することを可能にする方法を提供することにある。その際に、新しい通信経路に沿ってサービス品質要求が満足され予約可能である場合にのみ古い通信経路と新しい通信経路との間のハンドオフが実行され、最善努力成果の品質要求の可能性が明確に含められる。
【０００５】
この課題は請求項１による方法よって解決される。本発明による方法の好ましい実施態様は従属請求項に記載されている。
【０００６】
請求項１によれば次の方法が提供される。すなわち、モバイルノード（ＭＮ）と通信先ノード（ＣＮ）との間のＩＰに基づく、特にモバイルＩＰｖ６に基づく第１および第２の通信経路間におけるＱｏＳに適応したハンドオフの実行方法であって、第２の通信経路は、中継局を持たないかまたは１つ以上の中継局を持ちモバイルノードがアクセス可能な複数の通信経路の一つであり、かつ少なくとも、
ａ）第２の通信経路としてモバイルノードがアクセス可能な複数の通信経路から１つの通信経路を選択するステップ、
ｂ）選択された通信経路に基づいてモバイルノードに割り当てられた少なくとも１つのＩＰアドレスと選択された通信経路に関する最小のサービス品質要求（ＱｏＳ）とを含むメッセージ（ＢＵ）をモバイルノードによって発生するステップ、
ｃ）選択された通信経路上においてそのメッセージが相前後して通過する個々の中継局によっておよび／または通信先ノードによって少なくとも最小のサービス品質要求を検査し、場合によっては確保するステップ、
を有するＱｏＳに適応したハンドオフの実行方法において、
メッセージは、モバイルノードから通信先ノードへの通信および／またはその逆方向の通信への最小のサービス品質要求を含み、
少なくとも最小のサービス品質要求が満足されている場合に自動的にハンドオフが第１の通信経路と第２の通信経路として選択された通信経路との間で行なわれるか、または
少なくとも最小のサービス品質要求の満足性が与えられていない場合にはメッセージが停止され、中継局および／または通信先ノードにおいて通報が発生されモバイルノードに送られる。
【０００７】
ステップｂにおけるメッセージはモバイルノードにおいてではなく、しかしモバイルノードによって発生されなければならない。すなわち、モバイルノードは少なくともメッセージの形成のイニシアチブを取る。例えば、モバイルノードは、ＢＵメッセージに相次いで選択された通信経路に沿って存在する中継局を通過させることを、ベースステーションまたはそのコントローラに委任することができる。第１の通信経路にも、第２の通信経路として選択された通信経路にも、それぞれ１つのベースステーションが割り当てられている。例えば次のケースが現われ得る。
【０００８】
モバイルノードとベースステーションとの間の接続についての空中インターフェースの資源を節約することが望ましい。それゆえ、モバイルノードは、第２の通信経路として選択された通信経路のベースステーションにＢＵをＱｏＳオブジェクトなしに発送し、その第２の通信経路のベースステーションに、第１の通信経路のベースステーションから最小のサービス品質要求を受け取ることを指令する。
【０００９】
他のケースにおいては、モバイルノードは、第２の通信経路として選択された通信経路のベースステーションへの接続をまだ全く持たず、その身元のみを識別する。それゆえ、モバイルノードは、第１の通信経路のベースステーションに、第２の通信経路として選択された通信経路のベースステーションに相応のＢＵを送信するように指令する。
【００１０】
Ｃｈａｓｋａｒ氏から提案されたＱｏＳオブジェクトオプションとは異なり、この場合には、サービス品質要求の満足性の検査に基づいて、バインディングアップデートメッセージ（ＢＵ）を却下してサービス品質要求が満足され得ないこと（以下においてこのことをネガティブ・バインディングアクノーレッジメントメッセージ（ネガティブＢＡ）と呼ぶ。）をモバイルノードに通知する通報を発生するか、または、サービス品質要求が満足され得る場合にはバインディングアップデートメッセージが転送される。Ｃｈａｓｋａｒ氏の場合、サービス品質要求を満足するための資源が十分でない場合に何をなすべきかが詳しく述べられていない。本発明による方法によれば、モバイルノードはネガティブ・バインディングアクノーレッジメントメッセージによりこの種の状況を知らされる。さらに、最小のサービス品質要求が、選択された通信経路上に存在するサービス品質に応じて引き下げられ、本発明による方法が第２の通信経路として選択された同一の通信経路から再度開始されるか、あるいは、代替の通信経路が第２の通信経路として選択され、その後本発明による方法が繰り返されるかまたは本発明による方法が待機時間後に繰り返される。これらの方式のどれが選ばれるかは条件の満足次第であり、例えば第１の通信経路のベースステーションとの接続がどのくらい長く維持されるかに関係する。
【００１１】
さらに、モバイルノードと通信先ノードとの間のアップストリーム通信およびダウンストリーム通信のためのサービス品質要求をバインディングアップデートメッセージと同時に発送することができる。その点では、モバイルノードから通信先ノードへの通信（アップストリーム通信）についても、通信先ノードからモバイルノードへの通信（ダウンストリーム通信）についても、通信経路が相応のサービス品質要求を満足するかどうかができるだけ迅速に確定されるか、もしくは確認可能である。しかしながら、ダウンストリーム通信のためのサービス品質要求がバインディングアップデートとともに発送されることも可能である。
【００１２】
ハンドオフは、新しい通信経路に沿って全ての関係する中継局、すなわちＱｏＳ保証に関与している全てのユニットがサービス品質要求の満足のために必要な資源を準備する状態にある場合にのみ行なわれる。そうでない場合には、モバイルノードが通報つまりネガティブ・バインディングアクノーレッジメントメッセージによって他のベースステーションを介する他の通信経路を探して構築する状態にある間、ＱｏＳを保証された古い通信経路が存続し、続けて使用される。
【００１３】
特に、ステップｂにおいて発生したメッセージは、最小のサービス品質要求から所望のサービス品質要求まで含むサービス品質要求範囲を有している。これは、モバイルノードと通信先ノードとの間の相応の通信を一般に可能にするために満足されなければならない最小のサービス品質要求のほかに、モバイルノードと通信先ノードとの間の十分な通信から最適な通信までを実現するサービス品質要求も挙げることを意味する。付加的なオプションとして、最小のサービス品質要求は最善努力サービスでもある。これは特に、モバイルノードが、例えばその移動に基づいて唯一の他のベースステーションへの接触のみを受け入れることができるか、または第１の通信経路のベースステーションとの接続をまもなく失うことを待ち受ける場合に意義がある。
【００１４】
既存のＱｏＳ資源の検査時にまず、最適な通信を実現するであろう所望のサービス品質要求が満足するかどうかが調べられる。所望のサービス品質要求が満足されている場合、バインディングアップデートメッセージが単純に転送される。所望のサービス品質要求が満足されていない場合、どのサービス品質要求がちょうどなおも満足され得るかが検査される。これはＱｏＳオブジェクトへ登録され、場合によっては所望のサービス品質要求を転記することができる。少なくとも最小のサービス品質要求が満足されている場合、メッセージが転送され、最小のサービス品質要求または場合によってはより高い要求の満足性がなおも利用可能な資源の範囲内で相応の資源の予約によって保証される。
【００１５】
本発明による方法の有利な実施態様では、ハンドオフが実行される場合、どのサービス品質要求が満足され得るかに関する情報を含む通報が中継局において発生され、同時にまたはハンドオフ実行後にモバイルノードに送られ、その結果モバイルノードはモバイルノードと通信先ノードとの間の通信がどの品質により実現されるかについて通知される。つまり、モバイルノードは、他方では再び情報を与える、すなわち検査目的のためには使用されないＱｏＳオブジェクトを含み得るバインディングアクノーレッジメントメッセージによって、最終的に予約されたサービス品質を知らされる。
【００１６】
サービス品質要求の満足性を検査する中継局は、特にＱｏＳ保証に関与しているネット要素である。それは、例えばモビリティアンカーポイント（ＭＡＰ）であり得るし、しかし、考慮の対象とする通信経路に沿って配置され通信先ノードの方向に送られたバインディングアップデートメッセージによって通過されるルータまたはベースステーションまたはそのコントローラでもあり得る。これらの全ての中継局は、同時に、どのサービス品質要求が満足され得るのかおよび／または最小のサービス品質要求が満足され得ないことをモバイルノードに通知するためにモバイルノードに送られるべきである相応の通報を発生する状況にあるというわけではない。特に、バインディングアップデートは、サービス品質要求の満足性について確認することができるがしかしメッセージを停止し相応の通報を発生して発送することのできない例えばルータの如きこの種の中継局によって、相応のメッセージとともに転送される。このメッセージに基づいて、選択された通信経路上にあって自らは必ずしもＱｏＳ保証に関与している必要のない直近の中継局において、最小のサービス品質要求も満足され得ない場合には、バインディングアップデートが停止され、相応の通報が発生され、モバイルノードに送られる。
【００１７】
Ｃｈａｓｋａｒ氏によって導入されたＱｏＳオブジェクトは、各ノード点によって考慮されなければならないホップバイホップ・ヘッダーオプションである。その代わりに、本発明において、定められた条件のもとで、例えば全ての中継局がＭＡＰである場合に受取先によってのみ考慮されなければならないいわゆる宛先ヘッダーオプションを選択することもできる。というのは通過するパケットはその都度中継局に宛てられるからである。
【００１８】
例えば資源予約プロトコル（ＲＳＶＰ）の如き従来の進行に対する本発明の利点は、モバイルノードがその現在地を変え、それにともない場合によってはそのＩＰアドレスを変えた場合に、モバイルノードと通信先ノードとの間の新しい通信経路に沿った資源の利用可能性が最小のオーバーヘッドにより検査され、かつ場合によっては確保されるという事実にある。というのは、分離されたプロトコルによる発送の代わりに、相応のサービス品質要求が他のメッセージつまりバインディングアップデートメッセージ（ＢＵ）と結合されて送られるからである。さらに、それによって、必要な資源の利用可能性が極めて迅速に検査されて確保される。ＲＳＶＰ支援された解決策は、１つのＲＴＴのみに比べて２つのＲＴＴすなわち２つのいわゆる往復遅延時間（Ｒｏｕｎｄ  Ｔｒｉｐ  Ｔｉｍｅｓ；ＲＴＴ）を必要とした。その上に、ＲＳＶＰと既述の階層的な方法との共同作業は確保されていない。Ｃｈａｓｋａｒ氏によるアプローチと比較すれば、特に、本発明による方法に基づいて資源の利用可能性にハンドオフを実行すること、並びにＢＡメッセージを相応に拡大することは利点として挙げるべきである。本発明による進行は、ＱｏＳメカニズムとの共同作業で、特にディフサーブ（ＤｉｆｆＳｅｒｖ；Ｄｉｆｆｅｒｅｎｔｉａｔｅｄ  Ｓｅｒｖｉｃｅｓ）、イントサーブ（ＩｎｔＳｅｒｖ；Ｉｎｔｅｇｒａｔｅｄ  Ｓｅｒｖｉｃｅｓ）およびエムピーエルエス（ＭＰＬＳ；Ｍｕｌｔｉｐｒｏｔｏｃｏｌ  Ｌａｂｅｌ  Ｓｗｉｔｃｈｉｎｇ）との共同作業で実現される。さらに、モバイルノードは、そのサービス品質要求が満足され得ない場合に、そのことを即座に知らされる。これは、本発明によれば、選択された通信経路に沿って通過される中継局における相応の通報の発生によっておよび／または通信先ノードによって行なわれる。その通信は本発明の枠内においてネガティブ・バインディングアクノーレッジメントメッセージと呼ばれる。同時に、本発明によれば、少なくとも最小のサービス品質要求が満足されていない場合、バインディングアップデートメッセージが停止されかつ却下される。それによって、モバイルノードのために、代替の通信経路を探し、そこで再度既存のＱｏＳ資源の利用可能性を検査することが開ける。
【００１９】
さらに、本発明は、モバイルノードと通信先ノードとの間のＩＰに基づく、特にＩＰｖ６に基づく通信経路における中継局、特にネット要素に関し、中継局は本発明による方法の意味における中継局として使用可能である。このネット要素は、例えばルータ、ベースステーション、そのコントローラまたはモビリティアンカーポイントである。
【００２０】
本発明による方法の他の利点は次の図に基づいて説明される。
図１は本発明による方法の実施形態における経過の概略図である。
図２は本発明による方法の他の実施形態における経過の概略図である。
【００２１】
図１には、モバイルノード１がモバイルネットにおけるその現在地を変え、それに基づいて他のベースステーション２に転入届を出さなければならないケースが示されている。その場合、モバイルノード１は、このモバイルノード１に向けられた全ての情報が例えば通信先ノード３からインターネット４を介して向けられなければならない新しいＩＰアドレスも獲得する。今や、モバイルノード１は、通信先ノード３への行程において別のノード点を通過することによって古い通信経路Ａとは異なる新しい通信経路Ｂを選択しなければならない。モバイルＩＰｖ６は、モバイルノード１がＩＰアドレスを変えたが十分なサービス品質（ＱｏＳ）を変えなかった場合、モバイルノード１へのデータパケットの正しい転送（ルート）を保証する。所望のサービス品質要求または少なくとも最小のサービス品質要求もかなえることができるようにするために、ここで、モバイルノード１は、少なくともモバイルノード１に新たに割り当てられたＩＰアドレスと相応のサービス品質要求（ＱｏＳ）とを含んでいるメッセージＢＵを発生する。今や、このメッセージＢＵはモバイルノード１から次々と新しい通信経路Ｂに沿って１つのノード点からすぐ次のノード点へ与えられる。モビリティともサービス品質保証とも何も関係がないノード点はメッセージＢＵを単純に転送する。これに対して、サービス品質保証に対して共同責任があるかまたはＭＡＰであるノード点は、本発明の枠内において中継局と呼ばれる。一般にかつ特に、ＭＡＰはサービス品質保証に対しても共同責任があるが、しかしそうであることは必要ではない。これには、先ず一般に、同様に必要ではない場合、対応のベースステーションが含まれる。それゆえ、モバイルノード１は、先ず、自分に割り当てられたベースステーション２にメッセージＢＵを送る。その際に、ベースステーション２では、所望のサービス品質要求または少なくとも最小のサービス品質要求が満足され得るかどうか検査される。これが満足されている場合にのみ、メッセージＢＵがすぐ次の中継局、例えばモビリティアンカーポイント５に転送される。今や、通信経路Ｂにおける他の中継局としてのモビリティアンカーポイント５において、再びサービス品質要求の満足性の検査が行なわれる。この場合、経過は既にベースステーション２において説明したのとちょうど同じである。通信経路Ｂにおける最後の中継局６は、古い通信経路Ａと新しい通信経路Ｂとが合流するノード点である。通信経路ＡおよびＢの一致部分Ｃではサービス品質はもはや検査されず、この部分Ｃはまったく明瞭に通過される。サービス品質要求の満足性は古い通信経路Ａの既に行なわれた実証によって既に保証されている。この階層的な進行は非常に効率的であり、著しい時間の節約ができる。ここでは他のモビリティアンカーポイントである最後の中継局６では、もう一度、サービス品質要求の満足性が検査され、それ相応に確保される。この中継局６は、ここに示されているように、最終のメッセージＢＡをモバイルノード１に、どのサービス品質要求が満足され得るかまたは少なくとも最小のサービス品質要求が満足され得るかという情報とともに送る。それにより、古い通信経路Ａから新しい通信経路Ｂへの本来のハンドオフが同時に生じる、すなわちハンドオフは、新しい通信経路Ｂにおいて十分なサービス品質資源の利用可能性が与えられているという条件に結び付けられている。ＭＡＰ６は局所的なルート登録つまり局所的な通信経路の登録を変更し、ただちにモバイルノード１の新しいＩＰアドレスを古いＩＰアドレスの代わりに使用する。
【００２２】
図２は本発明による方法の他の経過を示す。この場合にも、モバイルノード１は新しいＩＰアドレスを受け取って、このアドレスのためのＱｏＳを確保された通信経路を古い通信経路Ａの代わりに構築するように試みる。このために、モバイルノード１は、ここでも先ずメッセージＢＵを、このモバイルノードにとって考慮の対象になるベースステーション２に送る。ベースステーション２はサービス品質要求を検査し、相応の資源を確保し、メッセージＢＵをすぐ次の中継局に転送する。この中継局は、ここでは、モビリティアンカーポイント（ＭＡＰ）５である。このＭＡＰ５は、ここで、サービス品質要求の検査時に、相応の資源を準備（又は提供）する状況にないことを確認する。それにしたがって、ＭＡＰ５はベースステーション２を介してネガティブメッセージ（ネガティブＢＡ）をモバイルノード１に送り戻す。通信経路Ａから新しい通信経路Ｂへのハンドオフは起こらない。その代わりに、モバイルノード１は代替の新しい通信経路Ｄを試してみる。モバイルノード１は、ここでも対応のベースステーション７へ相応のサービス品質要求を持ったメッセージＢＵを送る。このメッセージＢＵは、ここでも、相応の資源の検査および確保に基づいて、相応のサービス品質要求を満足することができない中継局に到達するまで、または新しい通信経路Ｄと古い通信経路Ａとが交差する中継局に到達するまで転送される。これを、今ここで問題にしているこのケースで説明する。両通信経路はモビリティアンカーポイント８において交差する。通信先ノード３までの残りの経路Ｅは両通信経路ＡおよびＤにおいて同一であり、それによって相応のサービス品質要求の満足性が保証されている。この点では、残りの経路Ｅにおいて、サービス品質に関して何も検査されない。ここに示されているように、モビリティアンカーポイント８は、ベースステーション７と同様にサービス品質要求を満足することができる。さらに、モビリティアンカーポイント８は、ベースステーション７を介してメッセージＢＡをモバイルノード１に、サービス品質要求が満足され得るというポジティブ・メッセージとともに送る。それにより、古い通信経路Ａと新しい通信経路Ｄとの間におけるハンドオフがＭＡＰ８において行なわれる。
【図面の簡単な説明】
【００２３】
【図１】図１は本発明による方法の実施形態における経過の概略図
【図２】本発明による方法の他の実施形態における経過の概略図
【符号の説明】
【００２４】
１        モバイルノード（ＭＮ）
２        ベースステーション
３        通信先ノード（ＣＮ）
４        インターネット
５        モビリティアンカーポイント（ＭＡＰ）
６        中継局／モビリティアンカーポイント（ＭＡＰ）
７        ベースステーション
８        モビリティアンカーポイント（ＭＡＰ）
ＢＵ        バインディングアップデート
ＢＡ        バインディングアクノーレッジメント
【図１】
2004536535.tif 000003
【図２】
2004536535.tif 000004
【国際公開パンフレット】
2004536535.tif 000005
2004536535.tif 000006
2004536535.tif 000007
2004536535.tif 000008
2004536535.tif 000009
2004536535.tif 000010
2004536535.tif 000011
2004536535.tif 000012
2004536535.tif 000013
2004536535.tif 000014
2004536535.tif 000015
2004536535.tif 000016
2004536535.tif 000017
2004536535.tif 000018
2004536535.tif 000019
2004536535.tif 000020
2004536535.tif 000021
2004536535.tif 000022
2004536535.tif 000023
2004536535.tif 000024
2004536535.tif 000025
2004536535.tif 000026
2004536535.tif 000027
【国際調査報告】
2004536535.tif 000028
2004536535.tif 000029
2004536535.tif 000030
2004536535.tif 000031
2004536535.tif 000032
2004536535.tif 000033